(57)【要約】【課題】触針とワークとの衝突を回避することができる形状測定機を提供する。【解決手段】支柱に設けられたＺ軸駆動機構と、Ｚ軸駆動機構に設けられたＸ軸駆動機構とを含む駆動機構と、アームとアームの先端側に設けられた触針とを有する測定子と、Ｘ軸駆動機構に取り付けられた変位検出器と、変位検出器、及び駆動機構を制御する制御装置と、を備える形状測定機であって、触針の先端位置を移動させる触針位置調整機構を、備え、制御装置は、測定子の測定データであって且つＸ軸駆動機構により測定子を被測定物の表面に沿ってＸ軸方向に移動させることで得られた被測定物の表面形状に関する測定データを記憶する記憶部と、記憶部に記憶された測定データに基づいて触針位置調整機構を制御して触針を次の測定開始位置に移動させる触針移動制御部と、を備える。【選択図】図３
2019090832.tif 000002
【特許請求の範囲】
【請求項１】
被測定物を載置するベースと、
前記ベースに設けられた支柱と、
前記支柱に設けられＺ軸に移動自在のＺ軸駆動機構と、前記Ｚ軸駆動機構に設けられたＸ軸駆動機構とを含む駆動機構と、
アームと前記アームの先端側に設けられた触針とを有する測定子と、
前記Ｘ軸駆動機構に取り付けられた変位検出器であって、前記アームを上下方向に搖動自在に支持する支点と、前記アームの変位を測定する変位読み取り部とを有する変位検出器と、
前記変位検出器、及び前記駆動機構を制御する制御装置と、
を備える形状測定機であって、
前記触針の先端位置を移動させる触針位置調整機構を、備え、
前記制御装置は、前記測定子の測定データであって且つ前記Ｘ軸駆動機構により前記測定子を前記被測定物の表面に沿ってＸ軸方向に移動させることで得られた前記被測定物の表面形状に関する測定データを記憶する記憶部と、前記記憶部に記憶された前記測定データに基づいて前記触針位置調整機構を制御して前記触針を次の測定開始位置に移動させる触針移動制御部と、
を備える形状測定機。
【請求項２】
前記触針位置調整機構が前記変位検出器に設けられたアーム位置調整機構である請求項１に記載の形状測定機。
【請求項３】
前記触針位置調整機構が、前記アームの後端部に設けられた測定力調整機構である請求項１に記載の形状測定機。
【請求項４】
前記触針位置調整機構が前記Ｚ軸駆動機構である請求項１に記載の形状測定機。
【請求項５】
前記触針位置調整機構が、前記アームの位置調整を行う前記変位検出器に設けられアーム位置調整機構、前記Ｚ軸駆動機構、及び前記触針の測定力を調整する前記アームに後端部に設けられた測定力調整機構の少なくとも二つを含む請求項１に記載の形状測定機。
【請求項６】
前記触針は、前記アームの搖動方向に延設された上向き触針及び下向き触針で構成される請求項１から５の何れか一項に記載の形状測定機。
【発明の詳細な説明】
【技術分野】
【０００１】
本発明は形状測定機、及びその制御方法に係り、被測定物と触針との衝突を回避することができる形状測定機、及びその制御方法に関する。
【背景技術】
【０００２】
被測定物（ワーク）の表面に沿って、触針を持つ測定子と変位検出器とを移動させて、触針の上下の変位量を電気信号に変換してコンピュータ等の演算処理装置（計算機）に読み取ることで、ワークの表面粗さや輪郭等の表面形状等を測定する形状測定機が知られている（特許文献１）。
【０００３】
一般的に、形状測定機で測定を行う場合は、作業者が、目視で測定子の触針を、ワークの測定位置に位置合わせている。次に、ワークの形状に沿って触針を自動で相対移動させて、ワークの表面を測定する。
【先行技術文献】
【特許文献】
【０００４】
【特許文献１】特開２００２−１０７１４４号公報
【発明の概要】
【発明が解決しようとする課題】
【０００５】
ところで、近年、ワークの形状が複雑化し、ワークに段差が含まれる場合が多い。段差を含むワークを、触針を移動させて複数回測定する場合、ワークの段差と触針とが衝突する懸念がある。
【０００６】
形状測定機において、上向き触針と下向き触針とを有する測定子を用いて、円筒のワークの内部の上面と下面とを測定することも行われている。例えば、上向き触針を使用して上面を測定した場合、測定を終了すると測定子を水平方向に移動している。水平状態を維持したまま測定子を移動させて、下向き触針を測定開始位置に位置合わせさせている。この際、水平状態を維持したまま測定子を移動させているので、例えば、ワークの内面と、上向き触針又は下向き触針とが衝突する懸念がある。
【０００７】
本発明は、このような事情に鑑みてなされたもので、触針と被測定物との衝突を回避することができる形状測定機、及びその制御方法を提供することを目的とする。
【課題を解決するための手段】
【０００８】
本発明の一態様によると、形状測定機は、被測定物を載置するベースと、前記ベースに設けられた支柱と、前記支柱に設けられＺ軸に移動自在のＺ軸駆動機構と、前記Ｚ軸駆動機構に設けられたＸ軸駆動機構とを含む駆動機構と、アームと前記アームの先端側に設けられた触針とを有する測定子と、前記Ｘ軸駆動機構に取り付けられた変位検出器であって、前記アームを上下方向に搖動自在に支持する支点と、前記アームの変位を測定する変位読み取り部とを有する変位検出器と、前記変位検出器、及び前記駆動機構を制御する制御装置と、を備える形状測定機であって、前記触針の先端位置を移動させる触針位置調整機構を、備え、前記制御装置は、前記測定子の測定データを記憶する記憶部と、前記記憶部に記憶された前記測定データに基づいて前記触針位置調整機構を制御する触針移動制御部と、を備える。
【０００９】
好ましくは、前記触針位置調整機構が前記変位検出器に設けられアーム位置調整機構である。
【００１０】
好ましくは、前記触針位置調整機構が、前記アームに後端部に設けられた測定力調整機構である。
【００１１】
好ましくは、前記触針位置調整機構が前記Ｚ軸駆動機構である。
【００１２】
好ましくは、前記触針位置調整機構が、前記アームの位置調整を行う前記変位検出器に設けられアーム位置調整機構、前記Ｚ軸駆動機構、及び前記触針の測定力を調整する前記アームに後端部に設けられた測定力調整機構の少なくとも２つを含む。
【００１３】
好ましくは、前記触針は、前記アームの搖動方向に延設された上向き触針及び下向き触針で構成される。
【００１４】
本発明の別の態様によると、形状測定機の制御方法は、アームと前記アームの先端側に設けられた触針とを有する測定子と、前記アームを上下方向に搖動自在に支持する支点と、前記アームの変位を測定する変位読み取り部とを有する変位検出器と、を備える形状測定機の制御方法であって、前記触針を被測定物の測定開始位置に位置合わせするステップと、前記触針を前記被測定物に沿って水平方向に移動させ、前記アームの変位量、及び前記変位検出器の水平方向の移動量を測定データとして取得し、記憶するステップと、前記測定データに基づいて、前記触針を次の測定開始位置に移動させる移動経路を算出するステップと、前記算出された移動経路の情報に基づいて、前記測定子の触針を次の測定開始位置に移動させるステップと、を含む。
【発明の効果】
【００１５】
本発明によれば、触針と被測定物との衝突を回避することができる。
【図面の簡単な説明】
【００１６】
【図１】形状測定機の外観図である。
【図２】測定子、変位検出器、及びＸ軸駆動機構の概略構成図である。
【図３】形状測定機の構成を示すブロック図である。
【図４】形状測定機の制御方法を示すフローチャートである。
【図５】段差を有するワークを測定する場合の測定子の動作を説明する説明図である。
【図６】本実施形態に係る、段差を有するワークを測定する場合の測定子の動作を説明する説明図である。
【図７】円筒ワークを測定する場合の測定子の動作を説明する説明図である。
【図８】本実施形態に係る、円筒ワークを測定する場合の測定子の動作を説明する説明図である。
【発明を実施するための形態】
【００１７】
以下、添付図面にしたがって本発明の好ましい実施の形態について説明する。本発明は以下の好ましい実施の形態により説明される。本発明の範囲を逸脱すること無く、多くの手法により変更を行うことができ、本実施の形態以外の他の実施の形態を利用することができる。したがって、本発明の範囲内における全ての変更が特許請求の範囲に含まれる。
【００１８】
図１は、本発明が適用された形状測定機の外観図である。形状測定機１０は、被測定物（（ワーク、（不図示））を載置するベース１２と、ベース１２に設けられた支柱１４と、測定子２２と、測定子２２の変位を検出する変位検出器２８と、測定子２２及び変位検出器２８を被測定物に対して相対移動させる駆動機構１６とを備えている。
【００１９】
図１に示すように、駆動機構１６は支柱１４の設けられたＺ軸駆動機構１８と、Ｚ軸駆動機構１８に設けられたＸ軸駆動機構２０とを含んでいる。ここで、Ｚ軸とはベース１２の水平面に対して鉛直方向を意味する。
【００２０】
Ｚ軸駆動機構１８は、例えば、支柱１４にベース１２に垂直に設けられたレールと、レールの上をスライド可能なスライダと、レールに沿って設けられたボールネジと、ボールネジを回転させるモーターと、スライダの移動量を検出するＺ軸スケールと、で構成される。モーターを回転運動することによりボールネジにより直線運動に変換され、スライダに取り付けられたＸ軸駆動機構２０をＺ軸方向に移動自在とすることができる。Ｘ軸駆動機構２０と後述する変位検出器２８のＺ軸方向（鉛直方向）の移動量をＺ軸スケールで測定することができる。
【００２１】
測定子２２は、触針アーム２４と、触針アーム２４の先端側に設けられた触針２６とを含んでいる。測定子２２の触針アーム２４は、変位検出器２８から突出するアームホルダー３０に着脱自在に取り付けられている。したがって、複数の測定子２２を準備し、被測定物に応じて測定子２２を取り換えることができる。
【００２２】
形状測定機１０は、制御装置４０と、制御装置４０に接続された入力装置４２と、制御装置４０に接続された表示装置４４とを備えている。作業者は、コマンド、設定条件等の入力データを、入力装置４２から制御装置４０に伝達する。また、制御装置４０は、被測定物の測定結果等を表示装置４４に出力データとして表示する。
【００２３】
形状測定機１０は、例えば、ジョイスティックのような操作部４６を備えている。作業者が操作部４６を操作することにより、測定子２２、及び変位検出器２８を手動で移動させることができる。
【００２４】
図２は、測定子２２、変位検出器２８、及びＸ軸駆動機構２０の概略構成図である。測定子２２は、触針アーム２４と、触針アーム２４の先端側に設けられ、形状測定するための加工が施された触針２６とを有している。触針アーム２４の先端側とは、触針アーム２４において変位検出器２８とは反対側を意味し、触針アーム２４の先端を含む部分を意味する。
【００２５】
本実施形態では、触針２６が触針アーム２４の搖動方向に延設された下向き触針で構成されているが、これに限定されない。したがって、触針２６を触針アーム２４の搖動方向に延設された上向き触針で構成することもでき、また触針アーム２４の搖動方向に延設された上向き触針及び下向き触針（Ｔ字型触針ともいう）で構成することもできる。
【００２６】
変位検出器２８は、駆動部連結部５０と、駆動部連結部５０に設けられた支点５２と、支点５２に搖動自在に支持された棒状の搖動アーム５４と、搖動アーム５４の変位を読み取る変位読み取り部５６と、を有している。
【００２７】
本実施形態では、触針アーム２４と搖動アーム５４とがアームホルダー３０を介して、着脱自在に連結されている。したがって、搖動アーム５４と触針アーム２４とが、一本のアーム３２として機能している。
【００２８】
触針アーム２４と搖動アーム５４との連結により、支点５２がアーム３２を上下方向に搖動自在に支持することができ、また変位読み取り部５６がアーム３２の変位を測定することができる。
【００２９】
変位読み取り部５６は、アームホルダー３０と支点５２との間に設けられている。上述したように触針アーム２４と搖動アーム５４とはアームホルダー３０を介して連結されているので、変位読み取り部５６により搖動アーム５４の変位を読み取ることで触針アーム２４の上下方向の変位を測定することができる。
【００３０】
変位読み取り部５６として、リニアスケール、円弧スケール、ＬＶＤＴ（Ｌｉｎｅａｒ ｖａｒｉａｂｌｅ ｄｉｆｆｅｒｅｎｔｉａｌ ｔｒａｎｓｆｏｒｍｅｒ：差動変圧器）等を用いることができる。
【００３１】
実施形態では、変位読み取り部５６をアームホルダー３０と支点５２との間に設けているが、変位読み取り部５６を支点５２に対してアームホルダー３０と反対側に設けることもできる。
【００３２】
搖動アーム５４の後端部、すなわち、アーム３２の後端部には、触針２６の測定力を調整するため測定力調整機構５８が設けられている。測定力調整機構５８として、例えば位置調整可能にアーム３２の後端部に設けられたバランスウエイトを挙げることができる。バランスウエイトの位置をアーム３２に対して先端側、又は後端側に位置調整することで、触針２６に付与される測定力を調整することができる。ここで、測定力とは、測定中に触針２６がワークを押圧する押圧力を意味する。
【００３３】
この測定力調整機構５８により、触針２６の先端位置を調整することができる。測定力調整機構５８により測定力を小さくした場合、触針２６の先端位置を上方に移動させることができ、測定力調整機構５８により測定力を大きくした場合、触針２６の先端位置を下方に移動させることができる。なお、測定力調整機構５８は位置調整を自動で行うことができる。
【００３４】
例えば、測定力調整機構５８がバランスウエイトである場合、以下の構成とすることで、バランスウエイトを自動で位置調整できる。例えば、アーム３２と平行となる位置にレールを設ける。このレールに沿って移動可能なスライダを設け、スライダとバランスウエイトを連結する。スライダをレールに沿って移動させることで、バランスウエイトをアーム３２の軸方向に沿って自動で移動させることが可能となる。
【００３５】
一般的に、測定力調整機構５８は、触針２６の微小な測定力を調整するために使用され、触針２６の先端位置を調整する目的では使用されていない。
【００３６】
変位検出器２８には、アーム３２の位置を調整するためのアーム位置調整機構６０が設けられている。アーム位置調整機構６０は、アーム３２を上下方向に移動させることができ、その結果、アーム３２は支点５２を中心として上下方向に搖動する。
【００３７】
アーム位置調整機構６０は、一般的に、アーム３２を水平方向に移動する場合、アーム３２を上方向に移動する場合、アーム３２を下方向に移動する場合のように、予め定められた位置にアーム３２を移動させる。
【００３８】
本実施形態において、アーム位置調整機構６０は、アーム３２予め定められた位置に移動させる場合を含め、アーム３２を任意の位置に調整することができるよう構成されている。
【００３９】
アーム位置調整機構６０として側面視でコ字型の板とモーターとの組み合わせを挙げることができる。アーム３２をコ字型の板に貫通させる。この状態でモーターを駆動することで、コ字型の板を上下させる。コ字型の板の上下動に伴って、アーム３２を上下に搖動させることができる。モーターに印加する電流の大きさを変えることにより、アーム３２を上下に任意の位置に搖動（又は移動）させることができる。
【００４０】
変位検出器２８は、駆動部連結部５０と、支点５２と、変位読み取り部５６、測定力調整機構５８と、アーム位置調整機構６０と、を囲むハウジング６２を備えている。
【００４１】
駆動部連結部５０は、変位検出器２８とＸ軸駆動機構２０とを連結するための部材であり、変位検出器２８とＸ軸駆動機構２０とは駆動部連結部５０を介して相互に連結される。
【００４２】
Ｘ軸駆動機構２０は、Ｘ軸方向に延びるレール７０と、レール７０上をスライド可能なスライダ７２と、レール７０に沿って設けられたボールネジ７４と、ボールネジ７４を回転させるモーター７６と、スライダ７２の移動量を検出するＸ軸スケール７８と、で構成される。モーター７６を回転運動することによりボールネジ７４により直線運動に変換され、スライダ７２に取り付けられた変位検出器２８をＸ軸方向に移動自在とすることができる。変位検出器２８のＸ軸方向（水平方向）の移動量をＸ軸スケール７８で測定することができる。
【００４３】
図３は、形状測定機１０の構成を示すブロック図である。
【００４４】
制御装置４０に、制御部１００、処理部１０２、記憶部１０４、測定力調整部１０６、アーム位置調整部１０８、駆動機構制御部１１０、及び触針移動制御部１１２を備えている。
【００４５】
制御部１００は、形状測定機１０の動作全体を管理する。制御装置４０には、入力装置４２、表示装置４４、及び操作部４６が接続されている。入力装置４２、及び操作部４６から入力信号が制御部１００に送信され、制御部１００は、その入力信号に従って各種プログラムを実行し、また、制御部１００は制御信号、各種データ、各種プログラムの入出力を実行する。
【００４６】
制御装置４０には、変位検出器２８、Ｘ軸スケール７８、及びＺ軸スケール８０が接続されている。制御装置４０の処理部１０２は、変位検出器２８、Ｘ軸スケール７８、及びＺ軸スケール８０から測定データを受信する。変位検出器２８からアーム３２の変位量が測定され、Ｘ軸スケール７８から変位検出器２８のＸ軸方向（水平方向）の移動量が測定され、Ｚ軸スケール８０から変位検出器２８のＺ軸方向（鉛直方向）の移動量が測定され、処理部１０２に出力される。
【００４７】
処理部１０２は、制御部１００の制御信号に従って、測定データから測定子２２の軌跡情報を算出し、ワークの輪郭形状や粗さを求める。処理部１０２は算出結果を、制御部１００に出力する。測定結果が、制御部１００から表示装置４４に出力される。
【００４８】
制御装置４０の記憶部１０４に、各種プログラム、測定データ、測定子２２の軌跡情報、ワークの輪郭形状や粗さが記憶される。制御部１００は記憶部１０４に対してデータの入出力を実行する。
【００４９】
制御装置４０には、測定力調整機構５８、及びアーム位置調整機構６０が接続されている。制御装置４０の測定力調整部１０６は、制御部１００からの制御信号に従って、測定力調整機構５８を制御し、触針２６の測定力を調整する。また、制御装置４０のアーム位置調整部１０８は、制御部１００からの制御信号に従って、アーム位置調整機構６０を制御し、アーム３２の位置を予め定められた位置に移動させる。
【００５０】
制御装置４０には、Ｚ軸駆動機構１８、及びＸ軸駆動機構２０を含む駆動機構１６が接続されている。制御装置４０の駆動機構制御部１１０は、制御部１００からの制御信号に従って、Ｚ軸駆動機構１８、及びＸ軸駆動機構２０を含む駆動機構１６を制御し、測定子２２、及び変位検出器２８の位置を制御する。
【００５１】
触針移動制御部１１２は、記憶部１０４に記憶されている測定データに基づいて、測定終了位置から次の測定開始位置までの触針２６の移動経路を算出する。移動経路を算出する際、触針移動制御部１１２は、触針２６とワークとの衝突を回避し、かつ移動距離が短くなる移動経路を算出する。触針移動制御部１１２は移動経路情報を制御部１００に出力する。
【００５２】
本実施形態では、ワークを測定した際の、測定子からの測定データが記憶部１０４に記憶される。測定を終えた測定子２２を次の測定開始位置に移動する際に、測定データに基づいて触針移動制御部１１２は移動経路を算出している。移動経路情報に基づいて測定子２２を自動で移動させているので、測定子２２をワークと衝突させることなく、また、効率的に次の測定開始位置に移動させることができる。
【００５３】
制御部１００は、触針移動制御部１１２からの移動経路情報に基づいて、触針位置調整機構を制御し、触針２６の先端位置を調整する。すなわち、触針位置調整機構が制御部１００を介して触針移動制御部１１２により制御される。
【００５４】
本実施形態では、Ｚ軸駆動機構１８、測定力調整機構５８、及びアーム位置調整機構６０の少なくとも一つの機構により触針位置調整機構が構成されている。触針位置調整機構として、Ｚ軸駆動機構１８、測定力調整機構５８、及び任意の位置に位置調整可能なアーム位置調整機構６０を組み合わせて使用することができる。
【００５５】
図４は、本実施形態の含む形状測定機の制御方法のフローチャートを示している。形状測定機の制御方法では、測定子、変位検出器、駆動機構を持つ形状測定機のベースにワークを載置し、測定子をワークの測定開始位置に位置合わせする（ステップＳ１０）。
【００５６】
次に、測定データを取得し、記憶する（ステップＳ１２）。ステップＳ１２では、測定子をワークの表面に沿って、水平方向に移動させながら、変位検出器の水平方向の移動量と、触針の上下方向の変位量を測定データとして取得し、測定データを記憶する。
【００５７】
次に測定データから移動経路を算出する（ステップＳ１４）。ステップＳ１４では、測定データに基づいて、触針を次の測定開始位置に移動させる移動経路を算出する。
【００５８】
最後に、移動経路の情報に基づいて、測定子を移動させる（ステップＳ１６）。ステップＳ１６では、算出された移動経路の情報に基づいて、測定子を次の測定開始位置に移動させる。
【００５９】
本実施形態の形状測定機の制御方法では、ワークの測定データに基づいて、測定子の移動経路を算出しているので、触針とワークとの衝突を開始し、かつ効率的に測定子を移動させることができる。
【００６０】
次に、段差を有するワークを下向き触針２６を有する測定子２２で測定する場合について図５、及び図６に基づいて説明する。
【００６１】
図５は、下向き触針２６により、段差を有するワークＷを繰り返し測定する場合について、従来の測定子２２の動作を示している。最初に、作業者が目視で、測定子２２の触針２６の先端位置を、ワークＷの測定開始位置ＳＰに位置合わせする。その後、測定子２２の触針２６をワークＷの形状に沿って、測定終了位置ＥＰまで自動で移動させる。測定子２２を、測定開始位置ＳＰから、測定終了位置ＥＰまで移動させる間に、ワークＷの表面形状に関する測定データが取得される。なお、ワークＷの表面上の太線は、測定場所を仮想的に示している。
【００６２】
測定子２２が測定終了位置ＥＰに到達すると、作業者は、目視で測定子２２を次の測定開始位置まで移動させる。その際、触針２６がワークＷと衝突しないように、測定子２２をワークＷから大きく距離を開けて移動させていた。
【００６３】
図５の方法では、触針２６とワークＷとの衝突を回避するため、安全距離Ｌを大きくしていた。
【００６４】
図６は、下向き触針２６により、段差を有するワークＷを繰り返し測定する場合の、本実施形態による測定子２２の動作を示している。
【００６５】
図６（Ａ）は、段差を有するワークＷの測定を終えた状態、つまり測定子２２が測定終了位置ＥＰに位置している。測定子２２を、測定開始位置ＳＰから、測定終了位置ＥＰまで移動させる間に、ワークＷの表面形状に関する測定データが取得される。
【００６６】
図６（Ｂ）は、測定子２２を次の測定開始位置ＳＰに移動させるための、触針２６の移動経路の一つの態様を示している。この態様では、ワークＷの測定データから一定距離離し、かつワークＷに衝突しない移動経路で触針２６を自動で移動させている。触針２６はワークの上向き表面から距離Ｌ１だけ離れ、かつワークＷの側面から距離Ｌ２だけ離れて移動する。したがって、触針２６はワークＷの形状に沿って移動することになる。この触針の移動により、触針２６とワークＷとの衝突を回避することができる。
【００６７】
図６（Ｃ）は、測定子２２を次の測定開始位置ＳＰに移動させるための、触針２６の移動経路の他の態様を示している。この態様では、触針２６は、測定データの一番高い点から一定の距離Ｌ３だけ離れた位置に、距離Ｌ４だけ鉛直方向に移動させて、次いで水平方向に直線的に自動で移動させている。この触針の移動により、触針２６とワークＷとの衝突を回避することができる。
【００６８】
特に、測定データを利用しているので、触針２６とワークＷとの衝突を回避しながら、触針２６が鉛直方向に移動する距離Ｌ４を短くすることができる。
【００６９】
図６では、下向き触針２６を有する測定子２２について説明したが、上向き触針を有する測定子についても適用することができる。上向き触針の場合、図６（Ｃ）の態様に関して、測定終了後、測定子の触針を測定データの一番低い点から一定距離だけ離れた位置に移動させればよい。
【００７０】
次に、折れ曲がった円筒のワークＷの内部の上面Ｓ１と下面Ｓ２とを、上向き触針２６Ａと下向き触針２６Ｂとを有する測定子２２で測定する場合につて、図７、及び図８に基づいて説明する。
【００７１】
図７（Ａ）に示すように、最初に、作業者が目視で、測定子２２の上向き触針２６Ａの先端位置を、ワークＷの内部の上面Ｓ１の測定開始位置ＳＰ１に位置合わせする。その後、測定子２２の上向き触針２６ＡをワークＷの上面Ｓ１の形状に沿って、測定終了位置ＥＰ１まで自動で移動させる。測定子２２を、測定開始位置ＳＰ１から、測定終了位置ＥＰ１まで移動させる間に、ワークＷの内部の上面Ｓ１の表面形状に関する測定データが取得される。なお、ワークＷの内部の上面Ｓ１上の太線は、測定場所を仮想的に示している。
【００７２】
ワークＷの内部の上面Ｓ１の測定を終えると、上面Ｓ１の測定終了位置ＥＰ１から下面Ｓ２の測定開始位置ＳＰ２に、測定子２２の下向き触針２６Ｂを移動させる。
【００７３】
図７（Ｂ）に示すように、従来の測定子２２の動作では、上面Ｓ１の測定を終えると、測定終了位置ＥＰ１において、測定子２２のアーム３２を水平方向に移動させていた。アーム３２を水平状態にして測定子２２を下面Ｓ２の測定開始位置ＳＰ２に移動させた場合、円筒のワークＷの折れ曲がり部で、ワークＷの下面Ｓ２と測定子２２の下向き触針２６Ｂとが衝突する場合があった。
【００７４】
図８は、折れ曲がった円筒のワークＷの内部の上面Ｓ１と下面Ｓ２とを、上向き触針２６Ａと下向き触針２６Ｂとを有する測定子２２で測定する場合の、本実施形態による測定子２２の動作を示している。
【００７５】
図８（Ａ）は、図７（Ａ）と同様に、円筒のワークＷの内部の上面Ｓ１の測定を終えた状態を示している。
【００７６】
図８（Ｂ）は、測定子２２を、測定終了位置ＥＰ１から次の測定開始位置ＳＰ２に移動せるための、上向き触針２６Ａ、及び下向き触針２６Ｂの移動経路の一つの態様を示している。この態様では、ワークＷの測定データから上面Ｓ１から一定距離Ｌ５離れた移動経路で上向き触針２６Ａ、及び下向き触針２６Ｂを自動で移動させている。上向き触針２６Ａ、及び下向き触針２６Ｂは、ワークＷの上面Ｓ１の形状に沿って移動することとなる。この移動により、上向き触針２６Ａ、及び下向き触針２６ＢとワークＷの内部の上面Ｓ１又は下面Ｓ２との衝突を回避することができる。
【００７７】
次に、本実施形態では、Ｚ軸駆動機構１８、測定力調整機構５８、及びアーム位置調整機構６０の少なくとも一つの機構により触針位置調整機構を構成している。触針位置調整機構を、Ｚ軸駆動機構１８、測定力調整機構５８、及びアーム位置調整機構６０の少なくとも二つを含んで構成することができる。各機構、及ぶその組み合わせについて図１、図２、及び図３に基づいて説明する。
【００７８】
Ｚ軸駆動機構１８を利用して触針の先端位置を調整する場合、形状測定機１０は既にＺ軸駆動機構１８を備えているので、新たな機構を追加する必要はない。
【００７９】
触針位置調整機構としてＺ軸駆動機構１８を利用した場合、変位検出器２８の全体を上下に動かすので、触針２６の先端を安定させて移動させることができる。
【００８０】
また、Ｚ軸駆動機構１８を利用した場合、触針２６の移動が、Ｚ軸方向に沿う上下方向のみの移動となるため制御が容易となる。
【００８１】
触針位置調整機構として測定力調整機構５８を利用した場合、触針２６の先端を速く移動させることができる。したがって、駆動機構１６により変位検出器２８を速く移動させた場合でも、変位検出器２８の移動に追従させて触針２６の先端を位置制御させることができる。
【００８２】
触針位置調整機構としてアーム位置調整機構６０を利用した場合、アーム３２の位置を微調整することができるので、触針２６の先端をワークの近くを移動させることができる。
【００８３】
触針位置調整機構としてＺ軸駆動機構１８とアーム位置調整機構６０とを組み合わせて利用した場合、アーム位置調整機構６０によりアーム３２を固定することができるので、触針２６の先端のふらつきを抑えてＺ軸駆動機構１８を高速で上下動させることができる。この組み合わせによれば、Ｚ軸駆動機構１８のみを利用した場合の効果も阻害されることはない。
【００８４】
触針位置調整機構として測定力調整機構５８とアーム位置調整機構６０とを組み合わせて利用した場合、目標位置手前までは測定力調整機構５８により触針２６の先端を高速に移動させ、目標までの触針２６の先端の微調整をアーム位置調整機構６０リトラクト機構で制御することで、変位検出器２８を高速移動しながら触針２６の先端位置を制御することが可能となる。
【符号の説明】
【００８５】
１０…形状測定機、１２…ベース、１４…支柱、１６…駆動機構、１８…Ｚ軸駆動機構、２０…Ｘ軸駆動機構、２２…測定子、２４…触針アーム、２６…触針、２６Ａ…上向き触針、２６Ｂ…下向き触針、２８…変位検出器、３０…アームホルダー、３２…アーム、４０…制御装置、４２…入力装置、４４…表示装置、４６…操作部、５０…駆動部連結部、５２…支点、５４…搖動アーム、５６…変位読み取り部、５８…測定力調整機構、６０…アーム位置調整機構、６２…ハウジング、７０…レール、７２…スライダ、７４…ボールネジ、７６…モーター、７８…Ｘ軸スケール、８０…Ｚ軸スケール、１００…制御部、１０２…処理部、１０４…記憶部、１０６…測定力調整部、１０８…アーム位置調整部、１１０…駆動機構制御部、１１２…触針移動制御部
【図１】
2019090832.tif 000003
【図２】
2019090832.tif 000004
【図３】
2019090832.tif 000005
【図４】
2019090832.tif 000006
【図５】
2019090832.tif 000007
【図６】
2019090832.tif 000008
【図７】
2019090832.tif 000009
【図８】
2019090832.tif 000010